(57)【特許請求の範囲】
【請求項１】
プッシュプル型かつ直列共振型の電力変換装置であって、
前記電力変換装置は、直列共振回路のキャパシタに並列に接続され、前記キャパシタの端子間の短絡の設定及び解除を制御するキャパシタ短絡制御スイッチを備え、
前記キャパシタ短絡制御スイッチは、プッシュプル極性が反転する時刻の周辺の期間において、前記キャパシタの端子間の短絡を解除し、プッシュプル極性が反転する時刻の周辺の期間以外の期間において、前記キャパシタの端子間の短絡を設定し、
前記キャパシタの端子間の短絡の設定が開始される時刻は、前記キャパシタの端子間の電圧が０となる時刻であることを特徴とする電力変換装置。
【請求項２】
前記キャパシタの端子間の短絡の解除が開始される時刻は、プッシュプル極性の反転が開始される時刻より、直列共振周期の１／４の時間だけ前の時刻であり、
前記キャパシタの端子間の短絡の設定が開始される時刻は、プッシュプル極性の反転が終了される時刻より、直列共振周期の１／４の時間だけ後の時刻である、
ことを特徴とする請求項１に記載の電力変換装置。
【発明の詳細な説明】
【技術分野】
【０００１】
本発明は、プッシュプル型の電力変換装置に関する。
【背景技術】
【０００２】
極性反転スイッチを用いるプッシュプル型の電力変換装置として、矩形波状の電流を流す非共振型及び正弦波状の電流を流す共振型等があげられる。
【先行技術文献】
【特許文献】
【０００３】
【特許文献１】特開２０１４−００３７６４号公報
【発明の概要】
【発明が解決しようとする課題】
【０００４】
非共振型では、極性反転スイッチのスイッチング速度を向上させることにより、極性反転スイッチのスイッチング損失を低減させる。共振型では、極性反転スイッチのスイッチングを正弦波状の電流が０となる時刻でのスイッチングとすることにより、極性反転スイッチのスイッチング損失を低減させる。よって、共振型では、非共振型と比べて、極性反転スイッチのスイッチング損失をより低減させることができる。
【０００５】
共振型では、正弦波状の電流について、波高値（＝最大値／実効値）が抑えられず、波形率（＝実効値／平均値）が悪くなる。非共振型では、矩形波状の電流について、波高値が抑えられて、波形率が良くなる。よって、非共振型では、共振型と比べて、電力変換ゲインを同一とする場合に、オーム性の損失をより低減させることができる。
【０００６】
このように、非共振型及び共振型は、それぞれ、長所及び短所を有する。よって、従来では、高効率のプッシュプル型の電力変換装置を提供することができなかった。
【０００７】
そこで、前記課題を解決するために、本発明は、非共振型及び共振型のそれぞれの長所を生かして、高効率のプッシュプル型の電力変換装置を提供することを目的とする。
【課題を解決するための手段】
【０００８】
上記目的を達成するために、プッシュプル型かつ直列共振型の電力変換装置において、直列共振回路の共振用キャパシタに並列に接続され、共振用キャパシタの端子間の短絡の設定及び解除を制御するキャパシタ短絡制御スイッチを新たに追加する。
【０００９】
キャパシタ短絡制御スイッチは、プッシュプル極性が反転する時刻の周辺の期間において、共振用キャパシタの端子間の短絡を解除する。つまり、プッシュプル極性が反転する時刻の周辺の期間において、直列共振型の動作を行なう。
【００１０】
キャパシタ短絡制御スイッチは、プッシュプル極性が反転する時刻の周辺の期間以外の期間において、共振用キャパシタの端子間の短絡を設定する。つまり、プッシュプル極性が反転する時刻の周辺の期間以外の期間において、非共振型の動作を行なう。
【００１１】
キャパシタ短絡制御スイッチのスイッチング損失が、新たに問題となる。キャパシタ短絡制御スイッチのスイッチング損失を低減させるために、共振用キャパシタの端子間の短絡の設定が開始される時刻を、共振用キャパシタの端子間の電圧が０となる時刻とする。
【００１２】
具体的には、本発明は、プッシュプル型かつ直列共振型の電力変換装置であって、前記電力変換装置は、直列共振回路のキャパシタに並列に接続され、前記キャパシタの端子間の短絡の設定及び解除を制御するキャパシタ短絡制御スイッチを備え、前記キャパシタ短絡制御スイッチは、プッシュプル極性が反転する時刻の周辺の期間において、前記キャパシタの端子間の短絡を解除し、プッシュプル極性が反転する時刻の周辺の期間以外の期間において、前記キャパシタの端子間の短絡を設定し、前記キャパシタの端子間の短絡の設定が開始される時刻は、前記キャパシタの端子間の電圧が０となる時刻であることを特徴とする電力変換装置である。
【００１３】
この構成によれば、プッシュプル極性が反転する時刻の周辺の期間において、直列共振型の動作を行なうため、極性反転スイッチのスイッチング損失をより低減させることができる。その一方で、プッシュプル極性が反転する時刻の周辺の期間以外の期間において、非共振型の動作を行なうため、電力変換ゲインを同一とする場合に、オーム性の損失をより低減させることができる。追加として、共振用キャパシタの端子間の短絡の設定が開始される時刻を、共振用キャパシタの端子間の電圧が０となる時刻とするため、キャパシタ短絡制御スイッチのスイッチング損失を低減させることができる。
【００１４】
そして、トランス等の電力変換器に流れる電流は、立ち上がり及び立ち下がりが正弦波状になまった矩形波状の電流となるため、トランス等の電力変換器は、高効率化、小型化及び低廉化することができる。さらに、共振用キャパシタに流れる電流は、共振用キャパシタの端子間の短絡が設定されるときには流れず、共振用キャパシタの端子間の短絡が解除されるときのみ流れて、リップルや実効値が小さい電流となるため、共振用キャパシタは、小型化及び低廉化することができる。このように、高効率化、小型化及び低廉化されたプッシュプル型の電力変換装置を提供することができる。
【００１５】
また、本発明は、前記キャパシタの端子間の短絡の解除が開始される時刻は、プッシュプル極性の反転が開始される時刻より、直列共振周期の１／４の時間だけ前の時刻であり、前記キャパシタの端子間の短絡の設定が開始される時刻は、プッシュプル極性の反転が終了される時刻より、直列共振周期の１／４の時間だけ後の時刻である、ことを特徴とする電力変換装置である。
【００１６】
この構成によれば、以上に記載の動作及び効果をより確実に実現することができる。詳細については、発明を実施するための形態において説明する。
【発明の効果】
【００１７】
このように、本発明は、非共振型及び共振型のそれぞれの長所を生かして、高効率のプッシュプル型の電力変換装置を提供することができる。
【図面の簡単な説明】
【００１８】
【図１】本発明の電力変換装置の構成を示すブロック図である。
【図２】本発明の電力変換装置の動作を示すタイムチャートである。
【図３】本発明の電力変換装置の動作を示すタイムチャートである。
【発明を実施するための形態】
【００１９】
添付の図面を参照して本発明の実施形態を説明する。以下に説明する実施形態は本発明の実施の例であり、本発明は以下の実施形態に制限されるものではない。
【００２０】
（本発明の概要）
本発明の電力変換装置の構成を示すブロック図を図１に示す。電力変換装置Ｃは、プッシュプル型かつ直列共振型の電力変換装置であり、入力電源Ｖ、分圧回路Ｄ、共振用キャパシタＣｒ、共振用インダクタＬｒ、トランスＴ、第１の極性反転スイッチＳＷ１、第２の極性反転スイッチＳＷ２、キャパシタ短絡制御スイッチＳＷ３、整流回路Ｒ及び平滑用キャパシタＣｓから構成され、入力電圧Ｖｉを出力電圧Ｖｏに変換する。
【００２１】
本発明の電力変換装置Ｃでは、従来技術の電力変換装置と異なり、直列共振回路の共振用キャパシタＣｒに並列に接続され、共振用キャパシタＣｒの端子間の短絡の設定及び解除を制御するキャパシタ短絡制御スイッチＳＷ３を新たに追加する。
【００２２】
本発明の電力変換装置の動作を示すタイムチャートを図２、３に示す。第１の極性反転スイッチＳＷ１、第２の極性反転スイッチＳＷ２、キャパシタ短絡制御スイッチＳＷ３及びトランスＴについて、図１の矢印の方向を電流の正の方向とする。共振用キャパシタＣｒについて、図１の矢印の方向を電圧の降下の方向とする。
【００２３】
図２では、一方の極性反転スイッチがＯＦＦとなると同時に、他方の極性反転スイッチがＯＮになる実施形態を示す。図３では、一方の極性反転スイッチがＯＦＦとなった後に、他方の極性反転スイッチがＯＮになる実施形態を示す。
【００２４】
キャパシタ短絡制御スイッチＳＷ３は、プッシュプル極性が反転する時刻の周辺の期間において、共振用キャパシタＣｒの端子間の短絡を解除する。つまり、プッシュプル極性が反転する時刻の周辺の期間において、直列共振型の動作を行なう。
【００２５】
ここで、共振用キャパシタＣｒの端子間の短絡の解除が開始される時刻は、プッシュプル極性の反転が開始される時刻より、直列共振周期の１／４の時間だけ前の時刻である。
【００２６】
キャパシタ短絡制御スイッチＳＷ３は、プッシュプル極性が反転する時刻の周辺の期間以外の期間において、共振用キャパシタＣｒの端子間の短絡を設定する。つまり、プッシュプル極性が反転する時刻の周辺の期間以外の期間において、非共振型の動作を行なう。
【００２７】
ここで、共振用キャパシタＣｒの端子間の短絡の設定が開始される時刻は、プッシュプル極性の反転が終了される時刻より、直列共振周期の１／４の時間だけ後の時刻である。
【００２８】
（図２の実施形態）
まず、図２の実施形態について説明する。第１の極性反転スイッチＳＷ１は、時刻ｔ２において、ＯＦＦからＯＮへと切り替わり、時刻ｔ５において、ＯＮからＯＦＦへと切り替わり、時刻ｔ８において、ＯＦＦからＯＮへと切り替わる。第２の極性反転スイッチＳＷ２は、時刻ｔ２において、ＯＮからＯＦＦへと切り替わり、時刻ｔ５において、ＯＦＦからＯＮへと切り替わり、時刻ｔ８において、ＯＮからＯＦＦへと切り替わる。
【００２９】
キャパシタ短絡制御スイッチＳＷ３は、プッシュプル極性が反転する時刻ｔ２、ｔ５、ｔ８の周辺の期間ｔ１〜ｔ３、ｔ４〜ｔ６、ｔ７〜ｔ９において、ＯＦＦに制御され、プッシュプル極性が反転する時刻ｔ２、ｔ５、ｔ８の周辺の期間以外の期間ｔ（不図示）〜ｔ１、ｔ３〜ｔ４、ｔ６〜ｔ７、ｔ９〜ｔ（不図示）において、ＯＮに制御される。
【００３０】
ここで、キャパシタ短絡制御スイッチＳＷ３のＯＦＦ制御が開始される時刻ｔ１、ｔ４、ｔ７は、プッシュプル極性の反転が開始される時刻ｔ２、ｔ５、ｔ８より、直列共振周期の１／４の時間だけ前の時刻である。そして、キャパシタ短絡制御スイッチＳＷ３のＯＮ制御が開始される時刻ｔ３、ｔ６、ｔ９は、プッシュプル極性の反転が終了される時刻ｔ２、ｔ５、ｔ８より、直列共振周期の１／４の時間だけ後の時刻である。
【００３１】
第１の極性反転スイッチＳＷ１に流れる電流は、期間ｔ２〜ｔ３、ｔ８〜ｔ９において、０から正弦波の最大値へと立ち上がり、期間ｔ３〜ｔ４、ｔ９〜ｔ（不図示）において、正弦波の最大値にクリップされ、期間ｔ４〜ｔ５において、正弦波の最大値から０へと立ち下がる。第２の極性反転スイッチＳＷ２に流れる電流は、期間ｔ５〜ｔ６において、０から正弦波の最大値へと立ち上がり、期間ｔ（不図示）〜ｔ１、ｔ６〜ｔ７において、正弦波の最大値にクリップされ、期間ｔ１〜ｔ２、ｔ７〜ｔ８において、正弦波の最大値から０へと立ち下がる。スイッチのＯＦＦ制御期間には、電流は流れない。
【００３２】
キャパシタ短絡制御スイッチＳＷ３に流れる電流は、時刻ｔ３、ｔ９において、０から正弦波の最大値へと立ち上がり、期間ｔ３〜ｔ４、ｔ９〜ｔ（不図示）において、正弦波の最大値にクリップされ、時刻ｔ４において、正弦波の最大値から０へと立ち下がる。また、時刻ｔ６において、０から正弦波の最小値へと立ち下がり、期間ｔ（不図示）〜ｔ１、ｔ６〜ｔ７において、正弦波の最小値にクリップされ、時刻ｔ１、ｔ７において、正弦波の最小値から０へと立ち上がる。スイッチのＯＦＦ制御期間には、電流は流れない。
【００３３】
トランスＴの一次巻線に流れる電流は、第１及び第２の極性反転スイッチＳＷ１、ＳＷ２に流れる電流を合成して得られる。つまり、トランスＴの一次巻線に流れる電流は、期間ｔ（不図示）〜ｔ１、ｔ６〜ｔ７において、正弦波の最小値にクリップされ、期間ｔ１〜ｔ２、ｔ７〜ｔ８において、正弦波の最小値から０へと立ち上がり、期間ｔ２〜ｔ３、ｔ８〜ｔ９において、０から正弦波の最大値へと立ち上がり、期間ｔ３〜ｔ４、ｔ９〜ｔ（不図示）において、正弦波の最大値にクリップされ、期間ｔ４〜ｔ５において、正弦波の最大値から０へと立ち下がり、期間ｔ５〜ｔ６において、０から正弦波の最小値へと立ち下がる。
【００３４】
共振用キャパシタＣｒに印加される電圧は、キャパシタ短絡制御スイッチＳＷ３のＯＦＦ制御期間において、トランスＴの一次巻線に流れる電流を積分して得られる。つまり、共振用キャパシタＣｒに印加される電圧は、期間ｔ１〜ｔ２、ｔ７〜ｔ８において、０から正弦波の最小値へと立ち下がり、期間ｔ２〜ｔ３、ｔ８〜ｔ９において、正弦波の最小値から０へと立ち上がり、期間ｔ４〜ｔ５において、０から正弦波の最大値へと立ち上がり、期間ｔ５〜ｔ６において、正弦波の最大値から０へと立ち下がる。キャパシタ短絡制御スイッチＳＷ３のＯＮ制御期間には、共振用キャパシタＣｒに印加される電圧は０である。
【００３５】
（図３の実施形態）
次に、図３の実施形態について説明する。第１の極性反転スイッチＳＷ１は、時刻ｔ１３において、ＯＦＦからＯＮへと切り替わり、時刻ｔ１６において、ＯＮからＯＦＦへと切り替わり、時刻ｔ２１において、ＯＦＦからＯＮへと切り替わる。第２の極性反転スイッチＳＷ２は、時刻ｔ１２において、ＯＮからＯＦＦへと切り替わり、時刻ｔ１７において、ＯＦＦからＯＮへと切り替わり、時刻ｔ２０において、ＯＮからＯＦＦへと切り替わる。
【００３６】
キャパシタ短絡制御スイッチＳＷ３は、プッシュプル極性が反転する時刻ｔ１２〜ｔ１３、ｔ１６〜ｔ１７、ｔ２０〜ｔ２１の周辺の期間ｔ１１〜ｔ１４、ｔ１５〜ｔ１８、ｔ１９〜ｔ２２において、ＯＦＦに制御され、プッシュプル極性が反転する時刻ｔ１２〜ｔ１３、ｔ１６〜ｔ１７、ｔ２０〜ｔ２１の周辺の期間以外の期間ｔ（不図示）〜ｔ１１、ｔ１４〜ｔ１５、ｔ１８〜ｔ１９、ｔ２２〜ｔ（不図示）において、ＯＮに制御される。
【００３７】
ここで、キャパシタ短絡制御スイッチＳＷ３のＯＦＦ制御が開始される時刻ｔ１１、ｔ１５、ｔ１９は、プッシュプル極性の反転が開始される時刻ｔ１２、ｔ１６、ｔ２０より、直列共振周期の１／４の時間だけ前の時刻である。そして、キャパシタ短絡制御スイッチＳＷ３のＯＮ制御が開始される時刻ｔ１４、ｔ１８、ｔ２２は、プッシュプル極性の反転が終了される時刻ｔ１３、ｔ１７、ｔ２１より、直列共振周期の１／４の時間だけ後の時刻である。
【００３８】
第１の極性反転スイッチＳＷ１に流れる電流は、期間ｔ１３〜ｔ１４、ｔ２１〜ｔ２２において、０から正弦波の最大値へと立ち上がり、期間ｔ１４〜ｔ１５、ｔ２２〜ｔ（不図示）において、正弦波の最大値にクリップされ、期間ｔ１５〜ｔ１６において、正弦波の最大値から０へと立ち下がる。第２の極性反転スイッチＳＷ２に流れる電流は、期間ｔ１７〜ｔ１８において、０から正弦波の最大値へと立ち上がり、期間ｔ（不図示）〜ｔ１１、ｔ１８〜ｔ１９において、正弦波の最大値にクリップされ、期間ｔ１１〜ｔ１２、ｔ１９〜ｔ２０において、正弦波の最大値から０へと立ち下がる。スイッチのＯＦＦ制御期間には、電流は流れない。
【００３９】
キャパシタ短絡制御スイッチＳＷ３に流れる電流は、時刻ｔ１４、ｔ２２において、０から正弦波の最大値へと立ち上がり、期間ｔ１４〜ｔ１５、ｔ２２〜ｔ（不図示）において、正弦波の最大値にクリップされ、時刻ｔ１５において、正弦波の最大値から０へと立ち下がる。また、時刻ｔ１８において、０から正弦波の最小値へと立ち下がり、期間ｔ（不図示）〜ｔ１１、ｔ１８〜ｔ１９において、正弦波の最小値にクリップされ、時刻ｔ１１、ｔ１９において、正弦波の最小値から０へと立ち上がる。スイッチのＯＦＦ制御期間には、電流は流れない。
【００４０】
トランスＴの一次巻線に流れる電流は、第１及び第２の極性反転スイッチＳＷ１、ＳＷ２に流れる電流を合成して得られる。つまり、トランスＴの一次巻線に流れる電流は、期間ｔ（不図示）〜ｔ１１、ｔ１８〜ｔ１９において、正弦波の最小値にクリップされ、期間ｔ１１〜ｔ１２、ｔ１９〜ｔ２０において、正弦波の最小値から０へと立ち上がり、期間ｔ１２〜ｔ１３、ｔ２０〜ｔ２１（第１及び第２の極性反転スイッチＳＷ１、ＳＷ２のＯＦＦ制御期間）において、０のまま維持され、期間ｔ１３〜ｔ１４、ｔ２１〜ｔ２２において、０から正弦波の最大値へと立ち上がり、期間ｔ１４〜ｔ１５、ｔ２２〜ｔ（不図示）において、正弦波の最大値にクリップされ、期間ｔ１５〜ｔ１６において、正弦波の最大値から０へと立ち下がり、期間ｔ１６〜ｔ１７（第１及び第２の極性反転スイッチＳＷ１、ＳＷ２のＯＦＦ制御期間）において、０のまま維持され、期間ｔ１７〜ｔ１８において、０から正弦波の最小値へと立ち下がる。
【００４１】
共振用キャパシタＣｒに印加される電圧は、キャパシタ短絡制御スイッチＳＷ３のＯＦＦ制御期間において、トランスＴの一次巻線に流れる電流を積分して得られる。つまり、共振用キャパシタＣｒに印加される電圧は、期間ｔ１１〜ｔ１２、ｔ１９〜ｔ２０において、０から正弦波の最小値へと立ち下がり、期間ｔ１２〜ｔ１３、ｔ２０〜ｔ２１（第１及び第２の極性反転スイッチＳＷ１、ＳＷ２のＯＦＦ制御期間）において、正弦波の最小値のまま維持され、期間ｔ１３〜ｔ１４、ｔ２１〜ｔ２２において、正弦波の最小値から０へと立ち上がり、期間ｔ１５〜ｔ１６において、０から正弦波の最大値へと立ち上がり、期間ｔ１６〜ｔ１７（第１及び第２の極性反転スイッチＳＷ１、ＳＷ２のＯＦＦ制御期間）において、正弦波の最大値のまま維持され、期間ｔ１７〜ｔ１８において、正弦波の最大値から０へと立ち下がる。キャパシタ短絡制御スイッチＳＷ３のＯＮ制御期間には、共振用キャパシタＣｒに印加される電圧は０である。
【００４２】
（本発明の効果）
共振用キャパシタＣｒに印加される電圧は、キャパシタ短絡制御スイッチＳＷ３のＯＦＦ制御期間において、０からの立ち上がり後に０へと立ち下がるか、０からの立ち下がり後に０へと立ち上がるか、のいずれかである。つまり、共振用キャパシタＣｒに印加される電圧は、キャパシタ短絡制御スイッチＳＷ３のＯＦＦ制御期間において、立ち上がり量及び立ち下がり量を等しくする。これは、共振用キャパシタＣｒに流れる電流が、キャパシタ短絡制御スイッチＳＷ３のＯＦＦ制御期間において、第１のプッシュプル極性時と第２のプッシュプル極性時で、大きさを等しくする一方で、方向を逆とするためである。
【００４３】
このように、共振用キャパシタＣｒの端子間の短絡の設定が開始される時刻を、共振用キャパシタＣｒの端子間の電圧が０となる時刻とするため、キャパシタ短絡制御スイッチＳＷ３のスイッチング損失を低減させることができる。
【００４４】
上記の如く、プッシュプル極性が反転する時刻の周辺の期間において、直列共振型の動作を行なうため、第１及び第２の極性反転スイッチＳＷ１、ＳＷ２のスイッチング損失をより低減させることができる。その一方で、プッシュプル極性が反転する時刻の周辺の期間以外の期間において、非共振型の動作を行なうため、電力変換ゲインを同一とする場合に、オーム性の損失をより低減させることができる。
【００４５】
そして、トランスＴ等の電力変換器に流れる電流は、立ち上がり及び立ち下がりが正弦波状になまった矩形波状の電流となるため、トランスＴ等の電力変換器は、高効率化、小型化及び低廉化することができる。さらに、共振用キャパシタＣｒに流れる電流は、共振用キャパシタＣｒの端子間の短絡が設定されるときには流れず、共振用キャパシタＣｒの端子間の短絡が解除されるときのみ流れて、リップルや実効値が小さい電流となるため、共振用キャパシタＣｒは、小型化及び低廉化することができる。このように、高効率化、小型化及び低廉化されたプッシュプル型の電力変換装置Ｃを提供することができる。
【００４６】
（本発明及び特許文献１の比較）
本発明の電力変換装置Ｃでは、特許文献１の電力変換装置と同様に、直列共振回路の共振用キャパシタＣｒに並列に接続され、共振用キャパシタＣｒの端子間の短絡の設定及び解除を制御するキャパシタ短絡制御スイッチＳＷ３を新たに追加する。
【００４７】
しかし、特許文献１では、ＬＬＣ共振型／フェーズシフト型で動作させた後に、フェーズシフト型／ＬＬＣ共振型に切り替えるために、トランスに流れる電流が０となる時刻において、共振用キャパシタの端子間の短絡の設定が開始される。
【００４８】
一方で、本発明では、プッシュプル極性が反転／維持されるときに、それぞれ、直列共振型／非共振型の動作を行なうために、共振用キャパシタＣｒの端子間の電圧が０となる時刻において、共振用キャパシタＣｒの端子間の短絡の設定が開始される。
【００４９】
このように、本発明及び特許文献１は、共振用キャパシタの存在のみを見れば、同一のものであるが、共振用キャパシタの動作及び効果を見れば、異なるものである。
【００５０】
（その他の変形例）
本実施形態では、直流電圧を直流電圧に変換する電力変換装置を説明した。変形例として、直流電圧を交流電圧に変換するインバータや、交流電圧を直流電圧に変換するコンバータや、安定化電圧出力を必要としないバスコンバータを採用してもよい。
【００５１】
本実施形態では、２個の極性反転スイッチを備えるハーフブリッジ型を説明した。変形例として、４個の極性反転スイッチを備えるフルブリッジ型を採用してもよい。
【００５２】
本実施形態では、電気エネルギーから電気エネルギーへの変換を行なうトランスＴを説明した。変形例として、電気エネルギーから他のエネルギー（例えば、音波、電波及び光等のエネルギー）への変換を行なうトランスジューサを採用してもよい。
【００５３】
本実施形態に加えて、変形例として、共振用キャパシタＣｒより大幅に高い静電容量のキャパシタを、共振用キャパシタＣｒに直列に接続してもよい。
【００５４】
本実施形態に加えて、変形例として、共振周波数又は共振Ｑ値を低い値に設定することにより、トランスＴの一次巻線に印加される電圧波形の急峻さを低減することができ、トランスＴにおける電力損失を低減することができる。
【００５５】
本実施形態では、入力側から見て、直列共振回路、トランスＴ及び極性反転スイッチが、この順序で直列に接続される。変形例として、入力側から見て、直列共振回路、トランスＴ及び極性反転スイッチが、どのような順序で直列に接続されてもよい。
【００５６】
本実施形態では、分圧回路Ｄを用いて、各々の極性の回路に電力を供給する。変形例として、個別の電源等を用いて、各々の極性の回路に電力を供給してもよい。
【００５７】
本実施形態では、トランスＴの二次側の処理として、電圧変換、整流及び平滑化を行なう。変形例として、トランスＴの二次側の処理として、上の処理の他に、他の処理（例えば、電圧安定化及び過負荷保護等）を行なってもよい。
【産業上の利用可能性】
【００５８】
本発明の電力変換装置は、プッシュプル型かつ直列共振型の電力変換装置の高効率化、小型化及び低廉化を図る目的において、適用することが可能である。
【符号の説明】
【００５９】
Ｃ：電力変換装置
Ｖ：入力電源
Ｖｉ：入力電圧
Ｖｏ：出力電圧
Ｄ：分圧回路
Ｃｒ：共振用キャパシタ
Ｌｒ：共振用インダクタ
Ｔ：トランス
ＳＷ１：第１の極性反転スイッチ
ＳＷ２：第２の極性反転スイッチ
ＳＷ３：キャパシタ短絡制御スイッチ
Ｒ：整流回路
Ｃｓ：平滑用キャパシタ
【図１】
0006453698.tif 000002
【図２】
0006453698.tif 000003
【図３】
0006453698.tif 000004